(57)【要約】【課題】ユーザによる誤操作を精度よく防ぐことが可能な電子機器、実行制御方法及び実行制御プログラムを提供すること。【解決手段】携帯電話機１は、接触を検出する接触領域を有する接触検出部１２と、接触領域上の第１位置において接触が検出された場合には第１処理を実行し、接触領域上の第２位置において接触が検出された場合には第２処理を実行する制御部１７とを備える。この制御部１７は、第１処理が実行された直後に接触検出部１２に対して取消操作が行われ、さらに第２処理が実行される所定の一連処理が行われた場合、当該所定の一連処理後に第１位置の接触に応じて実行される処理を第１処理から第２処理に変更する。【選択図】図２
2012226693.tif 000002
【特許請求の範囲】
【請求項１】
接触を検出する接触領域を有する接触検出部と、
前記接触領域上の第１位置において接触が検出された場合には第１処理を実行し、前記接触領域上の第２位置において接触が検出された場合には前記第１処理と異なる第２処理を実行する実行部と、
前記実行部によって直前に実行された処理を取り消すための取消操作が行われる操作部と、
前記実行部により前記第１処理が実行された直後に前記操作部に対して前記取消操作が行われ、さらに前記実行部により前記第２処理が実行される所定の一連処理が行われた場合、前記第１位置の接触に応じて前記実行部によって実行される処理を前記第１処理から前記第２処理に変更する制御部と、
を備える電子機器。
【請求項２】
前記実行部は、前記制御部によって前記第１位置の接触に応じて実行される処理が、前記第１処理から前記第２処理に変更される前に前記接触領域の一部である第１領域及び当該第１領域の縁部である前記第１位置において接触を検出した場合には前記第１処理を実行し、前記接触領域の一部であり、前記第１領域に隣接する第２領域に対応する前記第２位置において接触を検出した場合には前記第２処理を実行する、
請求項１に記載の電子機器。
【請求項３】
前記接触検出部に重なって配置され、前記第１領域と重畳する第１オブジェクトと、前記第２領域と重畳する第２オブジェクトと、を表示する表示部を備え、
前記制御部は、前記所定の一連処理が行われた場合、前記第１オブジェクトの表示領域の縮小又は前記第２オブジェクトの表示領域の拡大の少なくとも一方を行う、
請求項２に記載の電子機器。
【請求項４】
前記制御部は、前記所定の一連処理が行われた場合、前記第１位置に重畳するまで前記第２オブジェクトの表示領域の一部を拡大させる、
請求項３に記載の電子機器。
【請求項５】
前記制御部は、前記第２位置と前記第１位置との距離が所定距離未満である場合に、前記所定の一連処理が行われると、前記第１位置の接触に応じて前記実行部によって実行される処理を前記第１処理から前記第２処理に変更し、前記第１位置と前記第２位置との距離が前記所定距離以上である場合に、前記所定の一連処理が行われると、前記第１位置の接触に応じて前記実行部によって実行される処理の前記第１処理から前記第２処理への変更を規制する、
請求項１から４のいずれか１項に記載の電子機器。
【請求項６】
複数のアカウントを記憶する記憶部を備え、
前記制御部は、前記電子機器の起動開始時に、前記複数のアカウントのいずれか一の選択を受け付け、前記所定の一連処理が行われた場合、前記第１位置の接触に応じて前記実行部によって実行される処理を前記第１処理から前記第２処理に変更する制御情報を、選択されているアカウント毎に前記記憶部に記憶させる、
請求項１から５のいずれか１項に記載の電子機器。
【請求項７】
接触を検出する接触領域を有する接触検出部を備える電子機器が、接触領域に対応する処理の実行を制御する実行制御方法であって、
前記接触領域上の第１位置において接触が検出された場合に、第１処理を実行する第１処理実行ステップと、
前記第１処理実行ステップにおいて前記第１処理が実行された直後に、当該第１処理を取り消す操作を受け付けたことに応じて、前記第１処理を取り消すための処理を実行する取消処理実行ステップと、
前記取消処理実行ステップにおいて前記第１処理を取り消す処理が実行された直後に、前記接触領域上の第２位置において接触が検出された場合に、前記第１処理と異なる第２処理を実行する第２処理実行ステップと、
前記第２処理実行ステップにおいて前記第２処理が実行された場合に、当該第２処理の実行後に前記第１位置の接触に応じて実行される処理を前記第１処理から前記第２処理に変更する処理変更ステップと、
を含む実行制御方法。
【請求項８】
接触を検出する接触領域を有する接触検出部を備える電子機器に、接触領域に対応する処理の実行を制御させ実行制御プログラムであって、
前記接触領域上の第１位置において接触が検出された場合に、第１処理を実行する第１制御処理と、
前記第１制御処理において前記第１処理が実行された直後に当該第１処理を取り消す操作を受け付けたことに応じて、前記第１処理を取り消すための処理を実行する取消制御処理と、
前記取消制御処理において前記第１処理を取り消す処理が実行された直後に前記接触領域上の第２位置において接触が検出された場合に、前記第１処理と異なる第２処理を実行する第２制御処理と、
前記第２制御処理において前記第２処理が実行された場合に、当該第２処理の実行後に前記第１位置の接触に応じて実行される処理を前記第１処理から前記第２処理に変更する処理対象変更処理と、
を含む実行制御プログラム。
【発明の詳細な説明】
【技術分野】
【０００１】
本発明は、電子機器、実行制御方法及び実行制御プログラムに関する。
【背景技術】
【０００２】
近年、ペンや指による接触を検出することによって各種の操作や文字の入力を行うことが可能なタッチパネルを有する電子機器が増加している。このような電子機器では、接触を検出する接触領域を有するタッチパネル部と、このタッチパネル部に重なって配置される表示部とを備えている。そして、電子機器は、表示部に文字やボタンといった各種キーを表示させて、タッチパネル部により、各種キーが表示されている箇所（タッチ操作領域）が指やペンで接触されたことを検出することで、各種キーの入力を受け付けている。
【０００３】
ところで、タッチパネル部への接触の仕方は、ユーザによって差が生じるため、ユーザによっては、誤操作が生じやすいといった問題がある。このような問題に対応するために、タッチパネルの接触によって実行される処理の調整（キャリブレーション）を受け付ける方法が提案されている（例えば、特許文献１参照）。
【先行技術文献】
【特許文献】
【０００４】
【特許文献１】特開２００６−３０９４６６号公報
【発明の概要】
【発明が解決しようとする課題】
【０００５】
しかしながら、特許文献１に記載の方法では、表示部の表示モードの設定時にキャリブレーションを行うため、実際の使用に則してキャリブレーションを動的に調整することができない。よって、特許文献１に記載の方法では、誤操作を精度よく防止することができない。
【０００６】
本発明は、ユーザによる誤操作を精度よく防ぐことが可能な電子機器、実行制御方法及び実行制御プログラムを提供することを目的とする。
【課題を解決するための手段】
【０００７】
本発明に係る電子機器は、接触を検出する接触領域を有する接触検出部と、前記接触領域上の第１位置において接触が検出された場合には第１処理を実行し、前記接触領域上の第２位置において接触が検出された場合には前記第１処理と異なる第２処理を実行する実行部と、前記実行部によって直前に実行された処理を取り消すための取消操作が行われる操作部と、前記実行部により前記第１処理が実行された直後に前記操作部に対して前記取消操作が行われ、さらに前記実行部により前記第２処理が実行される所定の一連処理が行われた場合、前記第１位置の接触に応じて前記実行部によって実行される処理を前記第１処理から前記第２処理に変更する制御部と、を備える。
【０００８】
また、本発明に係る電子機器では、前記実行部は、前記制御部によって前記第１位置の接触に応じて実行される処理が、前記第１処理から前記第２処理に変更される前に前記接触領域の一部である第１領域及び当該第１領域の縁部である前記第１位置において接触を検出した場合には前記第１処理を実行し、前記接触領域の一部であり、前記第１領域に隣接する第２領域に対応する前記第２位置において接触を検出した場合には前記第２処理を実行することが好ましい。
【０００９】
また、本発明に係る電子機器では、前記接触検出部に重なって配置され、前記第１領域と重畳する第１オブジェクトと、前記第２領域と重畳する第２オブジェクトと、を表示する表示部を備え、前記制御部は、前記所定の一連処理が行われた場合、前記第１オブジェクトの表示領域の縮小又は前記第２オブジェクトの表示領域の拡大の少なくとも一方を行うことが好ましい。
【００１０】
また、本発明に係る電子機器では、前記制御部は、前記所定の一連処理が行われた場合、前記第１位置に重畳するまで前記第２オブジェクトの表示領域の一部を拡大させることが好ましい。
【００１１】
また、本発明に係る電子機器では、前記制御部は、前記第２位置と前記第１位置との距離が所定距離未満である場合に、前記所定の一連処理が行われると、前記第１位置の接触に応じて前記実行部によって実行される処理を前記第１処理から前記第２処理に変更し、前記第１位置と前記第２位置との距離が前記所定距離以上である場合に、前記所定の一連処理が行われると、前記第１位置の接触に応じて前記実行部によって実行される処理の前記第１処理から前記第２処理への変更を規制することが好ましい。
【００１２】
また、本発明に係る電子機器は、複数のアカウントを記憶する記憶部を備え、前記制御部は、前記電子機器の起動開始時に、前記複数のアカウントのいずれか一の選択を受け付け、前記所定の一連処理が行われた場合、前記第１位置の接触に応じて前記実行部によって実行される処理を前記第１処理から前記第２処理に変更する制御情報を、選択されているアカウント毎に前記記憶部に記憶させることが好ましい。
【００１３】
本発明に係る実行制御方法は、接触を検出する接触領域を有する接触検出部を備える電子機器が、接触領域に対応する処理の実行を制御する実行制御方法であって、前記接触領域上の第１位置において接触が検出された場合に、第１処理を実行する第１処理実行ステップと、前記第１処理実行ステップにおいて前記第１処理が実行された直後に、当該第１処理を取り消すための操作を受け付けたことに応じて、前記第１処理を取り消す処理を実行する取消処理実行ステップと、前記取消処理実行ステップにおいて前記第１処理を取り消す処理が実行された直後に、前記接触領域上の第２位置において接触が検出された場合に、前記第１処理と異なる第２処理を実行する第２処理実行ステップと、前記第２処理実行ステップにおいて前記第２処理が実行された場合に、当該第２処理の実行後に前記第１位置の接触に応じて実行される処理を前記第１処理から前記第２処理に変更する処理変更ステップと、を含む。
【００１４】
本発明に係る実行制御プログラムは、接触を検出する接触領域を有する接触検出部を備える電子機器に、接触領域に対応する処理の実行を制御させ実行制御プログラムであって、前記接触領域上の第１位置において接触が検出された場合に、第１処理を実行する第１制御処理と、前記第１制御処理において前記第１処理が実行された直後に当該第１処理を取り消すための操作を受け付けたことに応じて、前記第１処理を取り消す処理を実行する取消制御処理と、前記取消制御処理において前記第１処理を取り消す処理が実行された直後に前記接触領域上の第２位置において接触が検出された場合に、前記第１処理と異なる第２処理を実行する第２制御処理と、前記第２制御処理において前記第２処理が実行された場合に、当該第２処理の実行後に前記第１位置の接触に応じて実行される処理を前記第１処理から前記第２処理に変更する処理対象変更処理と、を含む。
【発明の効果】
【００１５】
本発明によれば、ユーザによる誤操作を精度よく防ぐことができる。
【図面の簡単な説明】
【００１６】
【図１】本実施形態に係る携帯電話機の外観斜視図である。
【図２】本実施形態に係る携帯電話機の機能構成を示すブロック図である。
【図３】本実施形態に係る表示部に数字の入力を受け付ける画面が表示された例を示す図である。
【図４】図３に示す表示部に係る画面の部分拡大図である。
【図５】本実施形態に係る表示部に表示された数字キーの表示領域が変更された後の状態を示す図である。
【図６】本実施形態に係る制御部によるタッチパネルへの接触に対して行われる処理を調整する処理の流れを示すフローチャートである。
【発明を実施するための形態】
【００１７】
以下、本発明の実施の形態について説明する。まず、本発明の電子機器の一実施形態に係る携帯電話機１の基本構造について、図１を参照しながら説明する。図１は、本実施形態に係る携帯電話機１の外観斜視図である。
【００１８】
携帯電話機１は、筺体２を備える。筺体２には、正面部に、タッチパネル１０と、マイク１３と、スピーカ１４とが配置される。
【００１９】
タッチパネル１０は、表示部１１と、接触検出部１２とを備える（図２参照）。表示部１１は、液晶表示パネル又は有機ＥＬ（エレクトロルミネッセンス）表示パネル等である。接触検出部１２は、表示部１１に対応して配置され、接触を検出する接触領域を有する。接触検出部１２は、携帯電話機１のユーザの指やタッチペン等の物体の接触を検出し、検出した接触位置を制御部２０に供給する。接触検出部１２には、例えば、静電容量方式や抵抗膜方式等のセンサが利用可能である。
【００２０】
マイク１３は、携帯電話機１のユーザが通話時に発した音声を入力するために用いられる。
スピーカ１４は、携帯電話機１のユーザの通話相手が発した音声を出力するために用いられる。
【００２１】
続いて、図２を参照しながら、携帯電話機１の機能構成について説明する。図２は、本実施形態に係る携帯電話機１の機能構成を示すブロック図である。
【００２２】
携帯電話機１は、上述した、タッチパネル１０（表示部１１及び接触検出部１２）と、マイク１３と、スピーカ１４とを備える。また、携帯電話機１は、通信部１５と、記憶部１６と、制御部１７とを備える。
【００２３】
通信部１５は、メインアンテナ（図示省略）とＲＦ回路部（図示省略）とを備え、所定の使用周波数帯で基地局等の外部装置と通信を行う。具体的には、通信部１５は、上記のメインアンテナによって受信した信号を復調処理し、処理後の信号を制御部１７に供給する。また、通信部１５は、制御部１７から供給された信号を変調処理し、上記のメインアンテナを介して外部装置に送信する。
【００２４】
記憶部１６は、例えば、ワーキングメモリを含み、制御部１７による演算処理に利用される。また、記憶部１６は、携帯電話機１のユーザを区別するために、複数のアカウントを記憶する。また、記憶部１６は、携帯電話機１の内部で動作するアプリケーションを１又は複数記憶する。なお、記憶部１６は、着脱可能な外部メモリを兼ねていてもよい。
【００２５】
制御部１７は、携帯電話機１の全体を制御する。例えば、制御部１７は、表示部１１、スピーカ１４、及び通信部１５に対して所定の制御を行う。
【００２６】
また、制御部１７は、接触検出部１２によって物体の接触を検出したことに応じて、各種処理を実行する。すなわち、制御部１７は、実行部として機能し、接触検出部１２の接触領域上の第１位置において接触が検出された場合には第１処理を実行し、接触検出部１２の接触領域上の第２位置において接触が検出された場合には第２処理を実行する。また、制御部１７は、接触検出部１２と協働することによって、操作部として機能し、接触検出部１２により所定領域（例えば、表示部１１に表示されるクリアボタン又はキャンセルボタンに対応する領域）の接触が行われた場合に、直前に実行された処理を取り消すための取消操作として、直前に実行された処理を取り消す処理を実行する。
【００２７】
また、制御部１７は、処理実行の際には、記憶部１６を制御し、各種プログラム及びデータの読み出し、並びにデータの書き込みを行う。
【００２８】
このように構成される携帯電話機１は、制御部１７により、タッチパネル１０への接触によって実行される処理を調整する処理であるキャリブレーションを行う。以下に、制御部１７について、詳細な説明を行う。
【００２９】
制御部１７は、接触検出部１２の接触領域上の第１位置において接触が検出されたことに応じて第１処理を実行した直後に、接触検出部１２により所定領域への接触（取消操作）が行われたことに応じて取消処理を実行し、さらに、接触検出部１２の接触領域上の第２位置において接触が検出されたことに応じて第１処理と異なる第２処理を実行した場合、第１位置の接触に応じて実行する処理を第１処理から第２処理に変更する。
なお、第１処理、取消処理及び第２処理が、第１処理、取消処理、第２処理の順番で所定時間内に行われた場合、これらの処理をまとめて、所定の一連処理という。
【００３０】
図３に示すように、表示部１１に数字の入力を受け付ける画面が表示された場合を例として詳細な説明を行う。
【００３１】
図３は、本実施形態に係る表示部１１に数字の入力を受け付ける画面が表示された例を示す図である。図４は、図３に示す表示部に係る画面の部分拡大図である。
【００３２】
図４に示される「１」が表示された第１数字キー１１１（第１オブジェクト）に重畳する第１領域１１１Ａについて、接触検出部１２によって接触が検出された場合、制御部１７は、第１処理として、表示領域１１０に「１」を入力する処理を行う。また、図４に示される「２」が表示された第２数字キー１１２（第２オブジェクト）に重畳する第２領域１１２Ａについて、接触検出部１２によって接触が検出された場合、制御部１７は、第２処理として、表示領域１１０に「２」を入力する処理を行う。
【００３３】
ここで、第１位置は、第１領域１１１Ａの縁部のうち、第２領域１１２Ａと所定の距離未満の縁部に対応する隣接領域１１１Ｂ内のいずれかの位置である。また、第２位置は、第２領域１１２Ａ内のいずれかの位置である。
【００３４】
つまり、制御部１７は、接触検出部１２の接触領域の一部である。そして、制御部１７は、第１位置に対応する隣接領域１１１Ｂの接触に応じて実行される処理が、表示領域１１０に「１」を入力する処理（第１処理）から表示領域１１０に「２」を入力する処理（第２処理）に変更される前に、第１位置に対応する隣接領域１１１Ｂを含む第１領域１１１Ａにおいて接触を検出した場合には、第１処理として、表示領域１１０に「１」を入力する処理を行い、第１領域１１１Ａに隣接する第２領域１１２Ａに対応する第２位置において接触を検出した場合には、第２処理として、表示領域１１０に「２」を入力する処理を行う。
【００３５】
そして、制御部１７は、所定の一連処理が行われた場合に、当該所定の一連処理後、第１位置に対応する隣接領域１１１Ｂの接触に応じて行う処理を、表示領域１１０に「１」を入力する処理から、表示領域１１０に「２」を入力する処理に変更する。
【００３６】
また、制御部１７は、所定の一連処理が行われた場合に、図５に示すように、第１数字キー１１１の表示領域の縮小と、第２数字キー１１２の表示領域の拡大を行い、第１位置に対応する隣接領域１１１Ｂに重畳するまで第２数字キーの表示領域の一部を拡大させることによって、第２数字キー１１２を重畳させる。
【００３７】
なお、本実施形態では、制御部１７は、第１数字キー１１１の表示領域の縮小と、第２数字キー１１２の表示領域の拡大を行うこととしたが、これに限らず、第１数字キー１１１の表示領域の縮小又は第２数字キー１１２の表示領域の拡大の少なくとも一方を行うようにしてもよい。また、本実施形態では、制御部１７は、第１位置に対応する隣接領域１１１Ｂに第２数字キー１１２を重畳させることとしたが、これに限らず、第１位置に対応する隣接領域１１１Ｂに第２数字キー１１２の一部を重畳させるようにしてもよい。
【００３８】
また、本実施形態では、第１位置を、第２領域１１２Ａに隣接する隣接領域１１１Ｂに対応する位置としたが、これに限らない。例えば、第１位置に対応する領域を、第１領域の周縁部としてもよい。そして、所定の一連処理において、接触検出部１２により当該周縁部に対応する第１位置への接触を検出した場合に、所定の一連処理における第２領域１１２Ａの接触位置（第２位置）と、第１位置との距離が所定距離未満である場合に、当該接触位置に対応する領域が接触されたときの処理を、表示領域１１０に「１」を入力する第１処理から、表示領域１１０に「２」を入力する第２処理に変更するようにしてもよい。一方で、制御部１７は、第１位置への接触を検出した場合に、所定の一連処理における第２領域１１２Ａの接触位置（第２位置）と、第１位置との距離が所定距離以上である場合に、当該接触位置に対応する領域が接触されたときの処理の、表示領域１１０に「１」を入力する第１処理から、表示領域１１０に「２」を入力する第２処理への変更を規制するようにしてもよい。
【００３９】
なお、制御部１７は、携帯電話機１の起動時に、ユーザから、記憶部１６に記憶されている複数のアカウントの選択を接触検出部１２への接触を介して受け付け、所定の一連処理が行われた場合に、当該所定の一連処理後、第１位置に対応する隣接領域１１１Ｂの接触に応じて行う処理を、第１処理から、第２処理に変更するとき、変更した旨を示す変更情報を、携帯電話機１の起動時に選択されたアカウント毎に、記憶部１６に記憶させるようにしてもよい。この場合、制御部１７は、携帯電話機１の起動時に、選択されたアカウントに関連付けられている変更情報を記憶部１６から読み出して、当該変更情報に基づいて、接触検出部１２により検出された接触に対応する処理を行う。換言すれば、所定の一連処理の制御部１７における処理の変更は、アカウント毎に記憶部１６に記憶される。
【００４０】
また、制御部１７は、接触検出部１２により検出された接触に対応して行われた処理のうち、所定の一連処理が行われた頻度を測定し、当該頻度が所定値以上となった場合に、第１位置に対応する隣接領域１１１Ｂの接触に応じて行う処理を、表示領域１１０に「１」を入力する処理から、表示領域１１０に「２」を入力する処理に変更するようにしてもよい。
【００４１】
続いて、タッチパネル１０への接触に対して行われる処理を調整する処理の流れについて説明する。図６は、本実施形態に係る制御部１７によるタッチパネル１０への接触に対して行われる処理を調整する処理の流れを示すフローチャートである。なお、本フローチャートは、図３〜図５に示す数字入力画面が表示部１１に表示されている場合に対応しているものとする。
【００４２】
ステップＳ１において、制御部１７は、隣接領域１１１Ｂへの接触が検出されて第１処理が行われたか否かを判定する。制御部１７は、この判定がＹＥＳの場合、ステップＳ２に処理を移し、この判定がＮＯの場合、ステップＳ１を再実行する。
【００４３】
ステップＳ２において、制御部１７は、接触検出部１２により所定の接触（取消操作）が行われたことに応じて取消処理が行われたか否かを判定する。制御部１７は、この判定がＹＥＳの場合、ステップＳ３に処理を移し、この判定がＮＯの場合、ステップＳ１に処理を移す。
【００４４】
ステップＳ３において、制御部１７は、第２領域１１２Ａへの接触が検出されて第２処理が行われたか否かを判定する。制御部１７は、この判定がＹＥＳの場合、ステップＳ４に処理を移し、この判定がＮＯの場合、ステップＳ１に処理を移す。
【００４５】
ステップＳ４において、制御部１７は、ステップＳ１における第１処理、ステップＳ２における取消処理及びステップＳ３における第２処理が所定時間内に行われたか否か、すなわち、所定の一連処理が所定時間内に行われたか否かを判定する。制御部１７は、この判定がＹＥＳの場合、ステップＳ５に処理を移し、この判定がＮＯの場合、ステップＳ１に処理を移す。
【００４６】
ステップＳ５において、制御部１７は、第１位置に対応する隣接領域１１１Ｂの接触に応じて行う処理を、表示領域１１０に「１」を入力する第１処理から、表示領域１１０に「２」を入力する第２処理に変更する。これにより、以降、第１位置に対応する隣接領域１１１Ｂへの接触を検出した場合に、表示領域１１０に「２」を入力する第２処理が行われる。
【００４７】
ステップＳ６において、制御部１７は、第１数字キー１１１の表示領域の縮小と、第２数字キー１１２の表示領域の拡大を行い、第１位置に対応する隣接領域１１１Ｂに第２数字キー１１２を重畳させる。
【００４８】
以上、本実施形態によれば、携帯電話機１は、制御部１７により、接触検出部１２の接触領域上の第１位置において接触が検出されたことに応じて第１処理を実行した直後に、接触検出部１２により所定の接触（取消操作）が行われたことに応じて取消処理を実行し、さらに、接触検出部１２の接触領域上の第２位置において接触が検出されたことに応じて第２処理を実行した場合、第１位置の接触に応じて実行する処理を第１処理から第２処理に変更する。
よって、携帯電話機１は、ユーザによってタッチパネル１０の操作が行われている場合に、動的に接触検出位置の補正を行うので、ユーザによる誤操作を精度よく防ぐことができる。
【００４９】
また、携帯電話機１は、隣接領域１１１Ｂの接触に応じて実行される処理が、第１処理から第２処理に変更される前に第１領域１１１Ａ及び隣接領域１１１Ｂにおいて接触を検出した場合には第１処理を実行し、第１領域１１１Ａに隣接する第２領域１１２Ａに対応する第２位置において接触を検出した場合には第２処理を実行する。
よって、携帯電話機１は、隣接する領域において、入力誤りを訂正する操作である所定の一連操作が行われた場合に、当該隣接する領域について、接触検出位置の補正を行うことができる。
【００５０】
また、携帯電話機１は、所定の一連処理が行われた場合、第１数字キー１１１の表示領域の縮小と、第２数字キー１１２の表示領域の拡大を行い、第１位置に対応する隣接領域１１１Ｂに第２数字キー１１２を重畳させる。
よって、携帯電話機１は、接触検出位置の補正と連動させて、第１位置に対応する隣接領域１１１Ｂに第２数字キー１１２を重畳させることにより、第１位置に対応する処理と、当該処理に対応する表示態様とを一致させることができる。
【００５１】
また、携帯電話機１は、第２位置と第１位置との距離が所定距離未満である場合に、所定の一連処理が行われると、第１位置の接触に応じて実行される処理を第１処理から第２処理に変更する。
よって、携帯電話機１は、第１位置及び第２位置が近接している場合において、ユーザの操作に応じて適切に接触検出位置の補正を行うことができる。
【００５２】
また、携帯電話機１は、所定の一連処理が行われた場合、第１位置の接触に応じて実行される処理を第１処理から第２処理に変更する制御情報を、選択されているアカウント毎に関連付けて記憶部１６に記憶させる。
よって、携帯電話機１は、複数のユーザによる操作の特性を、複数のユーザそれぞれに対応するアカウント毎に関連付けて記憶するので、複数のユーザがそれぞれ当該携帯電話機１を使用する場合であっても、複数のユーザそれぞれに対応するキャリブレーションを行うことができる。
【００５３】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００５４】
本実施形態では、電子機器の一例として、携帯電話機１について説明したが、本発明は携帯電話機１に限られるものではなく、携帯電話機１が各種機能を実行する方法、携帯電話機１に各種機能を実行させるためのプログラム、及びこのプログラムを記憶した記憶媒体にも適用可能である。また、本発明の電子機器は、携帯電話機１に限られず、ＰＤＡ（Ｐｅｒｓｏｎａｌ  Ｄｉｇｉｔａｌ  Ａｓｓｉｓｔａｎｔ）や、パーソナルコンピュータ、さらに、これらに接続される通信モジュール等、様々な通信機器に適用可能である。
【００５５】
また、本実施形態では、数字を入力する画面を例にして説明を行ったが、これに限らず、他の画面についても本発明を適用してもよい。また、複数の画面それぞれについて本発明に係る接触位置に対して行われる処理の変更を行い、変更した結果を複数の画面それぞれに関連付けて記憶するようにしてもよい。
【符号の説明】
【００５６】
１  携帯電話機
１０  タッチパネル
１１  表示部
１２  接触検出部
１６  記憶部
１７  制御部
【図１】
2012226693.tif 000003
【図２】
2012226693.tif 000004
【図３】
2012226693.tif 000005
【図４】
2012226693.tif 000006
【図５】
2012226693.tif 000007
【図６】
2012226693.tif 000008